(57)【要約】【課題】コンプレッサの使用者の必要とする動作状態情報を任意に、かつ簡単に接点出力するコンプレッサの動作情報出力システム回路を提供する。【解決手段】制御基板１やこれに内蔵される接点出力回路２を、液晶パネル３上での表示内容の選択信号により必要な信号を外部に接点出力することができる。【選択図】図１
2009275526.tif 000002
【特許請求の範囲】
【請求項１】
コンプレッサの停止及び駆動中における各種の動作状態情報を接点出力で外部に出力するための情報出力システム回路であって、該回路は、液晶パネル上において出力させたい信号を選択し、制御基板により前記信号を判断して前記制御基板内に内蔵されている接点出力回路により接点出力を外部に出力すべく形成されることを特徴とするコンプレッサの動作情報出力システム回路。
【発明の詳細な説明】
【技術分野】
【０００１】
本発明は、コンプレッサの停止及び駆動中における各種の動作状態情報を選択して接点出力にて外部に出力させるためのコンプレッサの動作情報出力システム回路に関する。
【背景技術】
【０００２】
コンプレッサの使用者は、その停止及び駆動時においてコンプレッサの各部の動作状態を適宜チェックすることを必要としている。しかしながら、従来ではその情報を出力するには、限定されているシステム回路によってのみ行われ、使用者の必要とする情報を任意に、かつ選択的に出力することができず、必要時には新たにシステムを構築しなければならず、極めて不便であった。この要請を満足させるためのシステム回路そのものは公知技術の集積によって形成されるが、必要情報を任意に選択的に動作させて接点出力するには、そのシステム回路に付設する表示手段が必要とされる。
本発明のシステム回路に類似又は関連する公知技術については見当らないが、その表示方法に関する従来技術の１つとして「特許文献１」が挙げられる。
【特許文献１】特開２００３−９７８７７号（図１）
【発明の開示】
【発明が解決しようとする課題】
【０００３】
この「特許文献１」の「特開２００３−９７８７７号」の「清涼飲料のディスペンサーにおける冷凍機の冷却ファンの通気口のフィルタのメンテナンス装置」は、フィルタのメンテナンス時期を外面の表示装置（液晶パネル）に表示することによりその交換時期を明確にするものであるが、本発明のようにシステム回路からの選択的情報を容易に、かつ簡便に表示するものではない。
【０００４】
本発明は、以上の事情に鑑みて発明されたものであり、コンプレッサ使用者の必要とする動作状態情報を選択的に容易に引き出して接点出力にて外部に出力するためのコンプレッサの動作情報出力システム回路を提供することを目的とする。
【課題を解決するための手段】
【０００５】
本発明は、以上の目的を達成するために、請求項１の発明は、コンプレッサの停止及び駆動中における各種の動作状態情報を接点出力で外部に出力するための情報出力システム回路であって、該回路は、液晶パネル上において出力させたい信号を選択し、制御基板により前記信号を判断して前記制御基板内に内蔵されている接点出力回路により接点出力を外部に出力すべく形成されることを特徴とする。
【発明の効果】
【０００６】
本発明の請求項１のコンプレッサの動作情報出力システム回路によれば、本発明のシステム回路により、コンプレッサの使用者が必要とする各種の情報を簡単に、接点出力にて出力できコンプレッサの安全運転やメンテナンスの適正化を図ることができる効果が上げられる。
【発明を実施するための最良の形態】
【０００７】
以下、本発明のコンプレッサの動作情報出力システム回路の実施の形態を図面を参照して詳述する。
本発明のコンプレッサの動作情報出力システム回路は、図１及び図２に示すように本システムを作動するための制御基板１と、これに連設される接点出力回路２とからなり、これ等は液晶パネル３上にて出力する情報を選択することにより作動され、選択した情報が液晶パネル３上に表示されるように構成される。なお、制御基板１の内容やこれに連設する接点出力回路２の構造についてはノウハウ的の表示であり、かつ公知技術の集積であり、ここでは開示を省略する。
【０００８】
次に、図３乃至図７により、本発明のコンプレッサの動作情報出力システム回路を作動させて選択した情報を液晶パネル３上に表示する。この動作は液晶パネル３上に表示される出力信号設定の画面（図３）と、これに関連して表示される選択信号の画面（図４乃至図７）等とからなる。
【０００９】
出力信号選択用の表示は、図３に示すように複数（本実施例では４つ）の信号選択用の押圧部４が明示されている。作業者はこの押圧部４のいずれかを押圧することにより次の画面に移ることができる。
図４乃至図７は図３の出力信号設定用の表示の夫々の押圧部４に対応する信号選択用の表示であり、図４は図３の任意選択信号１に対応し、図５は図３の任意選択信号２に対応し、図６は図３の任意選択信号３に対応し、そして図７は図３の任意選択信号４に対応するものである。以上により、複数の異なった信号選択を随時行うことができる。
【００１０】
信号選択用の表示（図４乃至図７に示す）の内容としては、出力したい信号を選択するための数値入力のキー５と、０〜６のどの信号が選択されたかを示す設定値（入力値）の表示６が明示される。なお、この数値出力のキー５は、信号が０〜６のため７個しかないが信号は０〜６に限るものではなく、その他の任意の信号を挙げることができる。即ち、本実施例は一つの事例を示すものである。
【００１１】
０〜６の信号としては、０が選択ナシ、１が運転中信号、２が運転信号、３が異常信号、４が警報信号、５が自動選択信号、６が遠方選択信号であり、この信号の内容は夫々の指定信号の選択により各種の内容が表示される。この詳細についてはここでは明示しないが、コンプレッサの運転動作に必要である各種の信号が選択表示されることになる。
【００１２】
作業者の動作としては、まず、図３の出力信号設定用の表示により任意選択信号１を選択し、図４により仮に１の運転中の信号を選択確認しながら次に出力信号設定用の表示の任意選択信号２を選択し、図５により１とは異なる例えば、４の警報信号を選択することができる。これにより０〜６の信号を同時に接点出力させることができ、多くの情報管理を可能とする。以上により、コンプレッサの安全管理ができる。
【００１３】
本発明は、以上の説明のものからなるが、それらの内容に限定されることなく同一技術的範疇のものが適用されることは勿論である。
【産業上の利用可能性】
【００１４】
本発明は、コンプレッサの全般に使用され、その動作状態情報の内容も任意のものが設定され、利用範囲は極めて広い。
【図面の簡単な説明】
【００１５】
【図１】本発明における液晶パネルと制御基板等を示す構成図。
【図２】本発明の構成を示すブロック図。
【図３】本発明の情報表示のために使用される出力信号設定の内容を示す液晶パネル表示。
【図４】本発明の出力信号設定の指定出力により表示される信号選択の内容を示す液晶パネル表示。
【図５】本発明の出力信号設定の指定出力により表示される信号選択の内容を示す液晶パネル表示。
【図６】本発明の出力信号設定の指定出力により表示される信号選択の内容を示す液晶パネル表示。
【図７】本発明の出力信号設定の指定出力により表示される信号選択の内容を示す液晶パネル表示。
【符号の説明】
【００１６】
１  制御基板
２  接点出力回路
３  液晶パネル
４  押圧部
５  信号選択用の数値入力のキー
６  設定値（入力値）の表示
【図１】
2009275526.tif 000003
【図２】
2009275526.tif 000004
【図３】
2009275526.tif 000005
【図４】
2009275526.tif 000006
【図５】
2009275526.tif 000007
【図６】
2009275526.tif 000008
【図７】
2009275526.tif 000009